(57)【要約】【課題】印刷用紙を確実に吸着保持することが可能な印刷用紙吸着機構および印刷用紙吸着方法を提供することを目的とする。【解決手段】テーブル１２には、真空ポンプに連結された複数の第１の吸着孔３１とブロアーに連結された複数の第２の吸着孔４１とが穿設されている。また、テーブル１２の表面には、第２の位置決め部材２２の下端部付近を起点とし、テーブル１２に載置される印刷用紙の略対角線方向に延びるメイン吸着溝３２と、このメイン吸着溝３２から両側に分岐する複数のサブ吸着溝３３とから構成される第１の吸着溝が刻設されている。さらに、テーブル１２の表面には、第２の吸着孔４１を連通するための第２の吸着溝４２、４３、４４、４５、４６、４７、４８、４９、５０、５１、５２、５３、５４、５５、５６、５７、５８、５９、６０、６１、６２、６３が刻設されている。【選択図】        図３
2004269166.tif 000002
【特許請求の範囲】
【請求項１】
印刷用紙を載置するためのテーブルと、
前記テーブルに複数個穿設された第１の吸着孔と、
前記第１の吸着孔に連結された真空ポンプと、
前記テーブルに刻設され前記第１の吸着孔を連通する第１の吸着溝と、
前記テーブルにおける当該テーブルに載置された印刷用紙の端部と対応する位置に複数個穿設された第２の吸着孔と、
前記第２の吸着孔に連結されたブロアーと、
を備えたことを特徴とする印刷用紙吸着機構。
【請求項２】
請求項１に記載の印刷用紙吸着機構において、
前記テーブルに刻設され前記第２の吸着孔を連通する第２の吸着溝をさらに備えた印刷用紙吸着機構。
【請求項３】
請求項２に記載の印刷用紙吸着機構において、
前記第２の吸着溝は、前記テーブルに載置される印刷用紙の規格サイズに各々対応する位置に複数個刻設される印刷用紙吸着機構。
【請求項４】
請求項１に記載の印刷用紙吸着機構において、
前記第１の吸着溝は、前記テーブルに載置される印刷用紙の略対角線方向に延びる主吸着溝と、当該主吸着溝から両側に分岐する副吸着溝とから構成される印刷用紙吸着機構。
【請求項５】
印刷用紙を載置するための傾斜したテーブルと、
前記テーブルの下端付近に配設され、印刷用紙の端縁と当接することにより印刷用紙の上下方向の位置決めを行う第１の位置決め部材と、
前記テーブルの左右いずれか一方に配設され、印刷用紙の端縁と当接することにより印刷用紙の左右方向の位置決めを行う第２の位置決め部材と、
前記第２の位置決め部材の下端部付近を起点とし、前記テーブルに載置され前記第１、第２の位置決め部材により位置決めされた印刷用紙の略対角線方向に延びる主吸着溝と、当該主吸着溝から両側に分岐する副吸着溝とから構成される第１の吸着溝と、
前記テーブルに穿設され、前記第１の吸着溝と連通する第１の吸着孔と、
前記第１の吸着孔に連結された真空ポンプと、
前記テーブルに載置され前記第１、第２の位置決め部材により位置決めされた印刷用紙の上側の端部および左右方向における前記第２の位置決め部材とは逆側の端部と対応する位置に複数個穿設された第２の吸着孔と、
前記第２の吸着孔に連結されたブロアーと、
を備えたことを特徴とする印刷用紙吸着機構。
【請求項６】
請求項１または請求項５に記載の印刷用紙吸着機構を使用する印刷用紙吸着方法であって、
真空ポンプにより前記第１の吸着孔から排気を行って、印刷用紙を前記テーブルに吸着する第１の排気行程と、
ブロアにより前記第２の吸着孔から排気を行って、印刷用紙の端部を前記テーブルに吸着する第２の排気行程と、
を備えたことを特徴とする印刷用紙吸着方法。
【発明の詳細な説明】
【０００１】
【発明の属する技術分野】
この発明は、テーブル上に印刷用紙を吸着するための印刷用紙吸着機構およびこの印刷用紙吸着機構を使用する印刷用紙吸着方法に関する。
【０００２】
【従来の技術】
印刷装置におけるインキの供給量や湿し水の供給量を制御するためには、印刷物測定装置が使用される。この印刷物測定装置は、テーブル上に載置した印刷直後の印刷用紙の印刷色や色濃度などをＣＣＤカメラ等の二次元撮像手段により撮像して画像データを入手し、この画像データを画像処理することにより得た印刷用紙の情報に基づいて印刷装置におけるインキの供給量や湿し水の供給量を制御するためのデータを計算するものである（例えば、特許文献１参照）。
【０００３】
【特許文献１】
特開２００１−３５３８５２号公報
【０００４】
このような印刷物測定装置においては、印刷用紙の浮き上がりや凹みが生ずると、画像データに照明時の影等に起因する読取誤差が生ずる。このため、従来の印刷物測定装置においては、テーブル上に載置した印刷用紙を真空ポンプに連結された吸着孔を利用してテーブルの表面に吸着保持する構成が採用されている。
【０００５】
なお、特許文献２には、画像記録装置における記録用回転ドラムの表面に記録媒体を吸着させるに際し、最初にブロアーを利用して記録媒体を記録用回転ドラムに吸着保持した後、さらに、真空ポンプを利用して記録媒体を記録用回転ドラムにより強固に吸着保持することにより、記録用回転ドラムの回転に伴って遠心力が生じた場合においても記録媒体を確実に記録用回転ドラムに固定し得る吸着機構が開示されている。
【０００６】
【特許文献２】
特開平１１−２０８０４７号公報
【０００７】
【発明が解決しようとする課題】
上述した印刷物測定装置において、印刷用紙を真空ポンプによりテーブルの表面に吸着保持する場合に、印刷用紙のカールが比較的大きい場合や、印刷用紙として比較的薄いものを使用した場合には、主として印刷用紙の端部付近において、印刷用紙をテーブルの表面に確実に吸着保持し得なかったり、吸着保持後の印刷用紙にしわが発生したりする現象が生ずる。これは印刷用紙端部が吸着面から所定距離以上浮き上っていると真空ポンプではエアーもれが生じて吸引しきれないからである。
【０００８】
印刷を行った後長時間が経過した印刷用紙の吸着保持を目的とする場合には、印刷用紙の表面をスクイジローラ等でスクイジすることにより、上述した問題の発生を防止することが可能となる。しかしながら、上述した印刷物測定装置においては、印刷直後の印刷用紙を抜き取って測定することから、印刷用紙がウェットな状態であり、このようなスクイジローラを使用することは不可能となる。
【０００９】
この発明は上記課題を解決するためになされたものであり、印刷用紙を確実に吸着保持することが可能な印刷用紙吸着機構および印刷用紙吸着方法を提供することを目的とする。
【００１０】
【課題を解決するための手段】
請求項１に記載の発明は、印刷用紙を載置するためのテーブルと、前記テーブルに複数個穿設された第１の吸着孔と、前記第１の吸着孔に連結された真空ポンプと、前記テーブルに刻設され前記第１の吸着孔を連通する第１の吸着溝と、前記テーブルにおける当該テーブルに載置された印刷用紙の端部と対応する位置に複数個穿設された第２の吸着孔と、前記第２の吸着孔に連結されたブロアーと、を備えたことを特徴とする。
【００１１】
請求項２に記載の発明は、請求項１に記載の発明において、前記テーブルに刻設され前記第２の吸着孔を連通する第２の吸着溝をさらに備えている。
【００１２】
請求項３に記載の発明は、請求項２に記載の発明において、前記第２の吸着溝は、前記テーブルに載置される印刷用紙の規格サイズに各々対応する位置に複数個刻設される。
【００１３】
請求項４に記載の発明は、請求項１に記載の発明において、前記第１の吸着溝は、前記テーブルに載置される印刷用紙の略対角線方向に延びる主吸着溝と、当該主吸着溝から両側に分岐する副吸着溝とから構成される。
【００１４】
請求項５に記載の発明は、印刷用紙を載置するための傾斜したテーブルと、前記テーブルの下端付近に配設され、印刷用紙の端縁と当接することにより印刷用紙の上下方向の位置決めを行う第１の位置決め部材と、前記テーブルの左右いずれか一方に配設され、印刷用紙の端縁と当接することにより印刷用紙の左右方向の位置決めを行う第２の位置決め部材と、前記第２の位置決め部材の下端部付近を起点とし、前記テーブルに載置され前記第１、第２の位置決め部材により位置決めされた印刷用紙の略対角線方向に延びる主吸着溝と、当該主吸着溝から両側に分岐する副吸着溝とから構成される第１の吸着溝と、前記テーブルに穿設され、前記第１の吸着溝と連通する第１の吸着孔と、前記第１の吸着孔に連結された真空ポンプと、前記テーブルに載置され前記第１、第２の位置決め部材により位置決めされた印刷用紙の上側の端部および左右方向における前記第２の位置決め部材とは逆側の端部と対応する位置に複数個穿設された第２の吸着孔と、前記第２の吸着孔に連結されたブロアーと、を備えたことを特徴とする。
【００１５】
請求項６に記載の発明は、請求項１または請求項５に記載の発明を使用する印刷用紙吸着方法であって、真空ポンプにより前記第１の吸着孔から排気を行って、印刷用紙を前記テーブルに吸着する第１の排気行程と、ブロアにより前記第２の吸着孔から排気を行って、印刷用紙の端部を前記テーブルに吸着する第２の排気行程と、を備えたことを特徴とする。
【００１６】
【発明の実施の形態】
以下、この発明の実施の形態を図面に基づいて説明する。図１はこの発明に係る印刷用紙吸着機構を使用した印刷物測定装置の斜視図であり、図２はその側面図である。なお、図２においては、光源１３およびコントロールパネル１５の図示を省略している。
【００１７】
この印刷物測定装置は、架台１１の上方に配置されたテーブル１２と、テーブル１２の左右に配設された一対の光源１３と、テーブル１２の上方に配設された撮像手段１４と、一方の光源１３の上方に配置されたコントロールパネル１５と、一対の支柱１６により支持された上部遮光板１７および後部遮光板１８と、後部遮光板１８に付設された補助光源１９と、印刷物測定装置全体を制御するための架台１１の内部に配置された制御部２０とを備える。
【００１８】
テーブル１２は、印刷用紙を載置可能な平面状の形状を有する。このテーブル１２は、後述するように、印刷用紙を吸着保持可能な構成となっている。また、このテーブル１２の表面は、オペレータによる作業を容易とするため、１０度程度傾斜している。そして、傾斜したテーブル１２の表面に吸着保持された印刷用紙は、一対の光源１３によりその側方から照射される。
【００１９】
テーブル１２の上方に配設された撮像手段１４は、光源１３から照射され印刷用紙の表面で反射した反射光をダイクロイックミラーによりＲＧＢの三原色の色成分に分割し、それぞれを個別のＣＣＤアレイで受光するように構成されたデジタルカメラを有する。この撮像手段１４により、印刷用紙からＲＧＢのデータを得ることができる。
【００２０】
コントロールパネル１５は、感圧入力機能を有する液晶モニターからなるタッチパネル方式のものであり、表示手段と入力手段の両方の機能を備える。このコントロールパネル１５は、制御部２０と接続されている。
【００２１】
一対の支柱１６の上方に支持された上部遮光板１７は、印刷物測定装置の前後方向に湾曲した形状を有する。この上部遮光板１７は、例えば、屋内に設置された照明からの光のように、テーブル１２に対して正反射するような光を遮断するために設置されている。一方、一対の支柱１６間に支持された後部遮光板１８は、印刷物測定装置後部からの光を遮光するためのものである。
【００２２】
後部遮光板１８に付設された補助光源１９は、上部遮光板１７および後部遮光板１８の作用により、テーブル１２上が暗くなることに対応するためのものである。この補助光源１９は蛍光灯等から構成され、撮像手段１４による印刷用紙の撮影時には、消灯するように構成されている。
【００２３】
以上のような構成を有する印刷物測定装置においては、印刷の実行中に印刷機の排紙部からオペレータにより抜き取られた印刷用紙がテーブル１２上に載置され、そこに吸着保持される。そして、光源１３により印刷用紙が照明され、撮像手段１４により印刷用紙の画像が撮影される。印刷用紙の画像のデータは、制御部２０において画像処理され、印刷機のインキ供給量を制御するための制御データが作成される。この制御データは、オンラインまたはオフラインで図示を省略した印刷機に転送される。
【００２４】
次に、この印刷物測定装置において使用されるこの発明に係る印刷用紙吸着機構の構成について説明する。図３および図４は、印刷用紙吸着機構を構成するテーブル１２の表面を示す平面図であり、図５は、そのエリア切替機構を示す説明図である。
【００２５】
これらの図に示すように、傾斜したテーブル１２の下端付近（図３乃至図５における下側）には、印刷用紙の端縁と当接することにより印刷用紙の上下方向の位置決めを行うための第１の位置決め部材２１が配設されている。また、テーブル１２の左方には、印刷用紙の端縁と当接することにより印刷用紙の左右方向の位置決めを行う第２の位置決め部材２２が配設されている。さらに、テーブル１２には、複数の第１の吸着孔３１と複数の第２の吸着孔４１とが穿設されている。なお、図３および図４においては、複数の第１、第２の吸着孔３１、４１のうちの一部のものにのみ符号を付し、その他の符号を省略している。
【００２６】
また、テーブル１２の表面には、第２の位置決め部材２２の下端部付近を起点とし、テーブル１２に載置される印刷用紙の略対角線方向に延びる主吸着溝３２と、この主吸着溝３２から両側に分岐する複数の副吸着溝３３とから構成される第１の吸着溝が刻設されている。
【００２７】
第１の吸着溝を構成する副吸着溝３３は、主吸着溝３２の延設方向に対して２０度乃至６０度の交差角度で分岐している。これは、後述する真空ポンプによる排気が、対角線を中心にして左右に良好に拡大するようにするためである。また、テーブル１２の表面は梨地処理等の粗面加工がしてあり、かつ、各副吸着溝３３間の間隔は、約１００ｍｍ以下に設定されているので、各吸着溝３２、３３間にはエアー溜まりが生じにくくなっている。さらに、主吸着溝３２および副吸着溝３３のいずれもが、テーブル１２の右側辺または上側辺まで達しており、それぞれテーブル１２の端縁に対して開口した状態になっている。
【００２８】
上述した第１の吸着孔３１は、主吸着溝３２と副吸着溝３３とから構成される第１の吸着溝上に配置されている。このため、主吸着溝３２と副吸着溝３３とから構成される第１の吸着溝は、第１の吸着孔３１を互いに連通していることになる。
【００２９】
また、テーブル１２の表面には、左右方向に連続する第２の吸着孔４１を連通するための第２の吸着溝４２、４３、４４、４５、４６、４７、４８、４９、５０、５１が刻設されている。同様に、テーブル１２の表面には、上下方向に連続する第２の吸着孔４１を連通するための第２の吸着溝５２、５３、５４、５５、５６、５７、５８、５９、６０、６１、６２、６３が刻設されている。
【００３０】
図４における符号７１、７２、７３、７４、７５、７６、７７、７８、７９、８０は、テーブル１２上に第１、第２の位置決め部材２１、２２により位置決めされて載置される印刷用紙の各種の規格サイズを示している。第２の吸着孔４１は、テーブル１２に載置される各種の印刷用紙の端部と対応する位置に配置されている。また、第２の吸着溝４２、４３、４４、４５、４６、４７、４８、４９、５０、５１、５２、５３、５４、５５、５６、５７、５８、５９、６０、６１、６２、６３は、テーブル１２に載置される各種の印刷用紙の端縁のすぐ内側の位置に配置されている。
【００３１】
すなわち、第２の吸着溝４２、４３、５２、５３は符号７９で示すサイズの印刷用紙の端部を吸着するときに利用される。また、第２の吸着溝４２、４３、５４、５５は符号７８で示すサイズの印刷用紙の端部を吸着するときに利用される。また、第２の吸着溝４４、４５、５６、５７は符号７７で示すサイズの印刷用紙の端部を吸着するときに利用される。また、第２の吸着溝４４、４５、５８、５９は符号７６で示すサイズの印刷用紙の端部を吸着するときに利用される。また、第２の吸着溝４６、４７、６０、６１は符号７５で示すサイズの印刷用紙の端部を吸着するときに利用される。また、第２の吸着溝４８、４９、６０、６１は符号７４で示すサイズの印刷用紙の端部を吸着するときに利用される。さらに、第２の吸着溝５０、５１、６２、６３は符号７３で示すサイズの印刷用紙の端部を吸着するときに利用される。なお、比較的小さい符号７１、７２で示すサイズの印刷版は、第２の吸着孔４１および第２の吸着溝を使用せずに、第１の吸着孔３１および主吸着溝３２と副吸着溝３３とから構成される第１の吸着溝を利用して吸着される。
【００３２】
テーブル１２に穿設された第１の吸着孔３１のうち、図３および図５に示すエリアＶＥ１内に配置された第１の吸着孔３１は、図５に示す電磁弁Ｖ１１を介して真空ポンプＶＰに連結されている。また、テーブル１２に穿設された第１の吸着孔３１のうち、図３および図５に示すエリアＶＥ２内に配置された第１の吸着孔３１は、図５に示す電磁弁Ｖ１２を介して真空ポンプＶＰに連結されている。さらに、テーブル１２に穿設された第１の吸着孔３１のうち、図３および図５に示すエリアＶＥ３内に配置された第１の吸着孔３１は、図５に示す電磁弁Ｖ１３を介して真空ポンプＶＰに連結されている。
【００３３】
同様に、テーブル１２に穿設された第２の吸着孔４１のうち、図３および図５に示すエリアＢＥ１内に配置された第２の吸着孔４１は、図５に示す電磁弁Ｖ２１を介してブロアー（送風機）ＢＲに連結されている。また、テーブル１２に穿設された第２の吸着孔４１のうち、図３および図５に示すエリアＢＥ２内に配置された第２の吸着孔４１は、図５に示す電磁弁Ｖ２２を介してブロアーＢＲに連結されている。さらに、テーブル１２に穿設された第２の吸着孔４１のうち、図３および図５に示すエリアＢＥ３内に配置された第２の吸着孔４１は、図５に示す電磁弁Ｖ２３を介してブロアーＢＲに連結されている。
【００３４】
なお、真空ポンプＶＰおよびブロワーＢＲは、前述した制御部２０と接続されている。また、上述した各電磁弁Ｖ１１、Ｖ１２、Ｖ１３、Ｖ２１、Ｖ２２、Ｖ２３も、制御部２０と接続されており、制御部からの信号によりその開閉動作を実行する。
【００３５】
次に、この印刷物測定装置において使用されるこの発明に係る印刷用紙吸着機構による印刷用紙の吸着動作について説明する。
【００３６】
最初に、真空吸着すべき印刷用紙をテーブル１２上に載置する。この印刷用紙は、第１、第２の位置決め部材により、その左端および下端を基準として位置決めされる。
【００３７】
この状態において、真空ポンプＶＰの作用により第１の吸着孔３１からの排気（第１の排気行程）を実行する。
【００３８】
このとき、図４において符号７１で示すサイズの印刷用紙を吸着保持する場合には、電磁弁Ｖ１３が開放され、エリアＶＥ３内に配置された第１の吸着孔３１から排気がなされる。また、図４において符号７２、７３、７４、７５で示すサイズの印刷用紙を吸着保持する場合には、電磁弁Ｖ１３および電磁弁Ｖ１２がこの順に開放され、最初にエリアＶＥ３内に配置された第１の吸着孔３１から、次に、エリアＶＥ２内に配置された第１の吸着孔３１から排気がなされる。さらに、図４において符号７６、７７、７８、７９、８０で示すサイズの印刷用紙を吸着保持する場合には、電磁弁Ｖ１３、電磁弁Ｖ１２および電磁弁Ｖ１１がこの順に開放され、最初にエリアＶＥ３内に配置された第１の吸着孔３１から、次に、エリアＶＥ２内に配置された第１の吸着孔３１から、最後にエリアＶＥ１内に配置された第１の吸着孔３１から排気がなされる。
【００３９】
第１の吸着孔３１からの排気が実行されると、第１の吸着孔３１と連通する主吸着溝３２と副吸着溝３３とから構成される第１の吸着溝全体から排気が実行されることになり、印刷用紙の全面に吸着作用が拡大する。
【００４０】
このとき、主吸着溝３２および副吸着溝３３のいずれもが、テーブル１２の右側辺または上側辺まで達しており、それぞれテーブル１２の端縁に対して開口した状態になっている。このため、印刷用紙は最初にその左下方側からテーブル１２に吸着され始め、第１の吸着孔３１の数が比較的多い主吸着溝３２に沿って印刷用紙の対角線方向に吸着動作が進行する。しかる後、主吸着溝３２を中心に副吸着溝３３に沿って左右に広がるように吸着動作が進行する。このような吸着動作は、オペレータが印刷用紙を手でスクイジする動作と類似し、印刷用紙の下面側に存在する空気を効率的に排気することが可能となる。
【００４１】
この状態においては、真空ポンプＶＰの高い真空度による強い吸着力により、印刷用紙はテーブル１２上に強く吸着保持され、位置決め固定される。
【００４２】
しかしながら、印刷用紙のカールが比較的大きい場合や、印刷用紙として比較的薄いものを使用した場合には、主として印刷用紙の端部付近において、印刷用紙をテーブルの表面に確実に吸着保持し得なかったり、吸着保持後の印刷用紙にしわが発生したりする現象が生ずる。このため、この発明に係る印刷用紙吸着機構においては、引き続き、ブロアーＢＲの作用により、第２の吸着孔４１からの排気（第２の排気行程）を実行する。
【００４３】
このとき、図４において符号７３、７４、７５で示すサイズの印刷用紙を吸着保持する場合には、電磁弁Ｖ２１が開放され、エリアＢＥ１内に配置された第２の吸着孔４１から排気がなされる。また、図４において符号７６、７７で示すサイズの印刷用紙を吸着保持する場合には、電磁弁Ｖ２１と電磁弁Ｖ２２とが同時に開放され、エリアＢＥ１およびエリアＢＥ２内に配置された第２の吸着孔４１から排気がなされる。さらに、図４において符号７８、７９、８０で示すサイズの印刷用紙を吸着保持する場合には、電磁弁Ｖ２１と電磁弁Ｖ２２と電磁弁Ｖ２３とが同時に開放され、エリアＢＥ１、エリアＢＥ２およびエリアＢＥ３内に配置された第２の吸着孔４１から排気がなされる。
【００４４】
第２の吸着孔４１からの排気が実行されると、第２の吸着孔４１と連通する第２の吸着溝４２、４３、４４、４５、４６、４７、４８、４９、５０、５１、５２、５３、５４、５５、５６、５７、５８、５９、６０、６１、６２、６３からも排気が実行される。
【００４５】
このときには、印刷用紙の端部付近に生ずるしわやカールをブロアーＢＲの吸引力によりテーブル１２の表面に引きつけ、印刷用紙の全面をテーブル１２に密着させることが可能となる。すなわち印刷用紙が比較的テーブル１２から離間している状態であってもブロアーＢＲであれば真空ポンプＶＰに比べて引きつけることができる。この場合に、印刷用紙は真空ポンプＶＰの高い真空度による強い吸着力によりテーブル１２位置決め固定されていることから、印刷用紙に位置ずれ等が生ずることはない。また、第２の吸着溝４２、４３、４４、４５、４６、４７、４８、４９、５０、５１、５２、５３、５４、５５、５６、５７、５８、５９、６０、６１、６２、６３は、テーブル１２に載置される各種の印刷用紙の端縁のすぐ内側の位置に配置されていることから、カール等により比較的テーブル１２から離間しやすい印刷用紙の端部を効率的にテーブル１２の表面に引きつけることが可能となる。
【００４６】
以上の工程により印刷用紙の全面がテーブル１２上に吸着保持されれば、前述したように、光源１３により印刷用紙が照明され、撮像手段１４により印刷用紙の画像が撮影される。
【００４７】
【発明の効果】
請求項１、請求項５および請求項６に記載の発明によれば、テーブルに複数個穿設された第１の吸着孔と、第１の吸着孔に連結された真空ポンプと、第１の吸着孔を連通する第１の吸着溝と、印刷用紙の端部と対応する位置に複数個穿設された第２の吸着孔と、第２の吸着孔に連結されたブロアーとを備えたことから、印刷用紙を確実に吸着保持することが可能となる。
【００４８】
請求項２に記載の発明によれば、第２の吸着孔を連通する第２の吸着溝をさらに備えることから、印刷用紙をより確実に吸着保持することが可能となる。
【００４９】
請求項３に記載の発明によれば、第２の吸着溝が印刷用紙の規格サイズに各々対応する位置に複数個刻設されることから、印刷用紙の端部付近をより効率的に吸着保持することが可能となる。
【００５０】
請求項４に記載の発明によれば、第１の吸着溝が印刷用紙の略対角線方向に延びる主吸着溝と、当該主吸着溝から両側に分岐する副吸着溝とから構成されることから、印刷用紙の対角線方向に吸着動作を進行させて、印刷用紙をより確実に吸着保持することが可能となる。
【図面の簡単な説明】
【図１】この発明に係る印刷用紙吸着機構を使用した印刷物測定装置の斜視図である。
【図２】この発明に係る印刷用紙吸着機構を使用した印刷物測定装置の側面図である。
【図３】印刷用紙吸着機構を構成するテーブル１２の表面を示す平面図である。
【図４】印刷用紙吸着機構を構成するテーブル１２の表面を示す平面図である。
【図５】エリア切替機構を示す説明図である。
【符号の説明】
１２      テーブル
１３      光源
１４      撮像手段
１５      コントロールパネル
２０      制御部
２１      第１の位置決め部材
２２      第２の位置決め部材
３１      第１の吸着孔
３２      主吸着溝
３３      副吸着溝
４１      第２の吸着孔
ＢＲ      ブロアー
ＶＰ      真空ポンプ
【図１】
2004269166.tif 000003
【図２】
2004269166.tif 000004
【図３】
2004269166.tif 000005
【図４】
2004269166.tif 000006
【図５】
2004269166.tif 000007